(57)【特許請求の範囲】
【請求項１】
電源装置を電源パネルに固定するステップと、
前記電源装置とは異なる機器類を機器パネルに固定するステップと、
制御盤の内側面となる取付面が上向きになるように、取付板を横向きに配置するステップと、
前記取付面を上向きにした状態で、前記電源装置が固定された前記電源パネルを、前記取付板の前記取付面に固定するステップと、
前記取付面を上向きにした状態で、前記機器類が固定された機器パネルを、前記取付板の前記取付面に固定するステップと、
前記取付面を上向きにした状態で、前記電源装置と前記機器類とを、電源ケーブルで結線するステップと、
前記電源パネルの固定、前記機器パネルの固定、前記電源ケーブルでの結線が終了した後、前記取付板を起立させるステップと、
前記取付板を起立させた後、前記制御盤の外形を構成するカバーを前記取付板に固定するステップと、
を備えたことを特徴とする制御盤の製造方法。
【請求項２】
第１電源装置を第１電源パネルに固定するステップと、
第２電源装置を第２電源パネルに固定するステップと、
前記第１電源装置とは異なる第１機器類を第１機器パネルに固定するステップと、
前記第２電源装置とは異なる第２機器類を第２機器パネルに固定するステップと、
制御盤の内側面となる一側の取付面が上向きになるように、取付板を横向きに配置するステップと、
前記一側の取付面を上向きにした状態で、前記第１電源装置が固定された前記第１電源パネルを、前記取付板の前記一側の取付面に固定するステップと、
前記一側の取付面を上向きにした状態で、前記第１機器類が固定された前記第１機器パネルを、前記取付板の前記一側の取付面に固定するステップと、
前記一側の取付面を上向きにした状態で、前記第１電源装置と前記第１機器類とを、第１電源ケーブルで結線するステップと、
前記取付板を反転させ、前記制御盤の内側面となる他側の取付面が上向きになるように、前記取付板を横向きに配置するステップと、
前記他側の取付面を上向きにした状態で、前記第２電源装置が固定された前記第２電源パネルを、前記取付板の前記他側の取付面に固定するステップと、
前記他側の取付面を上向きにした状態で、前記第２機器類が固定された前記第２機器パネルを、前記取付板の前記他側の取付面に固定するステップと、
前記他側の取付面を上向きにした状態で、前記第２電源装置と前記第２機器類とを、第２電源ケーブルで結線するステップと、
前記第１及び第２電源パネルの固定、前記第１及び第２機器パネルの固定、前記第１及び第２電源ケーブルでの結線が終了した後、前記取付板を起立させるステップと、
前記取付板を起立させた後、前記制御盤の外形を構成する第１カバーを、前記取付板の前記一側の取付面側に固定するステップと、
前記取付板を起立させた後、前記制御盤の外形を構成する第２カバーを、前記取付板の前記他側の取付面側に固定するステップと、
を備えたことを特徴とする制御盤の製造方法。
【請求項３】
取付面を上向きにした状態で、取付板の取付面にＩＯカードを収納する制御ユニットを固定するステップ、
を備えたことを特徴とする請求項１又は請求項２に記載の制御盤の製造方法。
【請求項４】
機器パネルに固定されたＤＩＮレールを備え、
電源装置とは異なる機器類は、前記ＤＩＮレールを介して、機器パネルに固定されることを特徴とする請求項１〜請求項３のいずれかに記載の制御盤の製造方法。
【請求項５】
機器パネルに固定されたケーブルサポートを備え、
電源装置と機器類とは、前記ケーブルサポートを介して、ケーブルで結線されることを特徴とする請求項１〜請求項４のいずれかに記載の制御盤の製造方法。
【請求項６】
電源パネルに、電気部品及び端子台の少なくとも一方が固定されたことを特徴とする請求項１〜請求項５のいずれかに記載の制御盤の製造方法。
【請求項７】
電源装置とは異なる機器類は、ＩＯカードからなることを特徴とする請求項１〜請求項６のいずれかに記載の制御盤の製造方法。
【請求項８】
電源装置とは異なる機器類は、端子台からなることを特徴とする請求項１〜請求項６のいずれかに記載の制御盤の製造方法。
【発明の詳細な説明】
【技術分野】
【０００１】
この発明は電源装置やＩＯカード等の機器類を収納する制御盤の製造方法に関するものである。
【背景技術】
【０００２】
従来の制御盤には、バスケット型の収納盤内部に中板もしくは中柱が取り付けられている。この中板や中柱の側面に、電源装置、電気部品、制御ユニット、ＩＯカード等の各種機器が取り付けられている。また、各種機器は、ケーブルで結線されている。
【０００３】
かかる制御盤は、以下のような手順で製造されていた。
まず、バスケット型の収納盤を組み立てる。その後、収納盤内部に、中板もしくは中柱を取り付ける。その後、中板や中柱の側面に、電源装置、電気部品、制御ユニット、ＩＯカード等の各種機器を取り付ける。その後、各種機器をケーブルで結線する（例えば、特許文献１参照。）
【先行技術文献】
【特許文献】
【０００４】
【特許文献１】特開平１１−１３６８１６号公報
【発明の概要】
【発明が解決しようとする課題】
【０００５】
しかし、特許文献１記載のものは、収納盤を組み上げた後、各種機器の取付作業、結線作業を行う必要がある。このため、限られた作業スペースしかなく、無理な姿勢での立ち作業による作業効率の低下、作業工程の長期化という問題があった。また、作業効率の低下等により、制御盤の価格が上昇するという問題があった。
【０００６】
この発明は、上述のような課題を解決するためになされたもので、その目的は、作業性を大幅に向上させることができ、短期間で且つ安価に制御盤を製造することができる制御盤の製造方法を提供することである。
【課題を解決するための手段】
【０００７】
この発明に係る制御盤の製造方法は、電源装置を電源パネルに固定するステップと、前記電源装置とは異なる機器類を機器パネルに固定するステップと、制御盤の内側面となる取付面が上向きになるように、取付板を横向きに配置するステップと、前記取付面を上向きにした状態で、前記電源装置が固定された前記電源パネルを、前記取付板の前記取付面に固定するステップと、前記取付面を上向きにした状態で、前記機器類が固定された機器パネルを、前記取付板の前記取付面に固定するステップと、前記取付面を上向きにした状態で、前記電源装置と前記機器類とを、電源ケーブルで結線するステップと、前記電源パネルの固定、前記機器パネルの固定、前記電源ケーブルでの結線が終了した後、前記取付板を起立させるステップと、前記取付板を起立させた後、前記制御盤の外形を構成するカバーを前記取付板に固定するステップと、を備えたものである。
【０００８】
また、この発明に係る制御盤の製造方法は、第１電源装置を第１電源パネルに固定するステップと、第２電源装置を第２電源パネルに固定するステップと、前記第１電源装置とは異なる第１機器類を第１機器パネルに固定するステップと、前記第２電源装置とは異なる第２機器類を第２機器パネルに固定するステップと、制御盤の内側面となる一側の取付面が上向きになるように、取付板を横向きに配置するステップと、前記一側の取付面を上向きにした状態で、前記第１電源装置が固定された前記第１電源パネルを、前記取付板の前記一側の取付面に固定するステップと、前記一側の取付面を上向きにした状態で、前記第１機器類が固定された前記第１機器パネルを、前記取付板の前記一側の取付面に固定するステップと、前記一側の取付面を上向きにした状態で、前記第１電源装置と前記第１機器類とを、第１電源ケーブルで結線するステップと、前記取付板を反転させ、前記制御盤の内側面となる他側の取付面が上向きになるように、前記取付板を横向きに配置するステップと、前記他側の取付面を上向きにした状態で、前記第２電源装置が固定された前記第２電源パネルを、前記取付板の前記他側の取付面に固定するステップと、前記他側の取付面を上向きにした状態で、前記第２機器類が固定された前記第２機器パネルを、前記取付板の前記他側の取付面に固定するステップと、前記他側の取付面を上向きにした状態で、前記第２電源装置と前記第２機器類とを、第２電源ケーブルで結線するステップと、前記第１及び第２電源パネルの固定、前記第１及び第２機器パネルの固定、前記第１及び第２電源ケーブルでの結線が終了した後、前記取付板を起立させるステップと、前記取付板を起立させた後、前記制御盤の外形を構成する第１カバーを、前記取付板の前記一側の取付面側に固定するステップと、前記取付板を起立させた後、前記制御盤の外形を構成する第２カバーを、前記取付板の前記他側の取付面側に固定するステップと、を備えたものである。
【発明の効果】
【０００９】
この発明によれば、作業性を大幅に向上させることができ、短期間で且つ安価に制御盤を製造することができる。
【図面の簡単な説明】
【００１０】
【図１】この発明の実施の形態１における製造方法によって製造された制御盤の構成を示す図である。
【図２】この発明の実施の形態１における制御盤の製造方法を説明するための図である。
【図３】この発明の実施の形態２における製造方法によって製造された制御盤の構成を示す図である。
【図４】この発明の実施の形態３における製造方法によって製造された制御盤の構成を示す図である。
【図５】この発明の実施の形態４における製造方法によって製造された制御盤の構成を示す図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における製造方法によって製造された制御盤の構成を示す図である。
図１に示す制御盤は、片面のＩＯ盤である。図１において、この制御盤の外形は、取付板１、カバー２、前扉３で構成される。
【００１３】
取付板１は、所定の板状を呈している。具体的には、取付板１は、中板を取付枠と一体化することで形成される。この取付板１は、起立した状態で配置されている。これにより、取付板１は、制御盤の背面を構成する。カバー２は、上カバー２ａと下カバー２ｂとを一体化して、四角筒状になるように形成される。このカバー２は、取付板１の表面側縁部に固定されている。これにより、カバー２は、制御盤の上下左右の側面を構成する。前扉３は、カバー２の正面側に固定されている。この前扉３は、カバー２に対して開閉自在に固定される。これにより、前扉３は、制御盤の正面を構成する。
【００１４】
上記構成の制御盤の内部では、取付板１の表面の一側に、電源パネル４が固定されている。また、取付板１の表面の他側に、機器パネル５が固定されている。即ち、取付板１の表面は、電源パネル４と機器パネル５とを固定する取付面となっている。
【００１５】
そして、電源パネル４には、標準的な電源装置６、電気部品７、端子台８が鉛直方向に並んで収納固定されている。また、機器パネル５には、電源装置６とは異なる機器類が収納固定されている。具体的には、機器パネル５には、複数のケーブルサポート９と複数のＤＩＮレール１０とが対となって固定されている。さらに、各ＤＩＮレール１０には、複数のＩＯカード１１が鉛直方向に並んで固定されている。そして、電源装置６とＩＯカード１１とは、ケーブルサポート９を介して、標準的な電源ケーブル１２で結線されている。
【００１６】
次に、図２を用いて、上記構成の制御盤を製造する方法について説明する。
図２はこの発明の実施の形態１における制御盤の製造方法を説明するための図である。
図２の左下側に示すように、まず、電源パネル４に、電源装置６、電気部品７、端子台８が固定される。また、図２の右下側に示すように、機器パネル５に、ケーブルサポート９、ＤＩＮレール１０が固定された後、ＤＩＮレール１０にＩＯカード１１が固定される。そして、図２の下方中央に示すように、取付板１の取付面が上向きになるように、取付板１が水平な場所で寝かされ、横向きに配置される。
【００１７】
次に、上向きになっている取付板１の取付面に、電源装置６、電気部品７、端子台８が固定された電源パネル４が固定される。また、これと並行して、上向きとなっている取付板１の取付面に、ケーブルサポート９、ＤＩＮレール１０、ＩＯカード１１が固定された機器パネル５が固定される。その後、電源装置６とＩＯカード１１とがケーブルサポート９を介して電源ケーブル１２で結線される。そして、電源ケーブル１２の結線後、取付板１が起立される。その後、図２の上方に示すように、起立した取付板１にカバー２が固定される。最後に、カバー２に前扉３が固定され、制御盤が完成する。
【００１８】
以上で説明した実施の形態１によれば、制御盤の製造作業を効率的に行うことができ、短期間で且つ安価に制御盤を製造することができる。即ち、制御盤内に収納する電源装置６、ＩＯカード１１等を事前に電源パネル４や機器パネル５に固定することにより、取付板１を水平な場所に寝かせたまま、電源装置６、ＩＯカード１１等の取付作業、結線作業を行うことができる。このため、取付板１の四方から上記作業を実施することができ、製造作業を効率的に行うことができる。また、無理な姿勢での立ち作業がなくなる。
【００１９】
さらに、電源装置６とＩＯカード１１との結線後に、カバー２を取り付けることで、シンプルな盤構造とすることができる。加えて、機器類を固定する機器パネル５とは異なる電源パネル４に、標準的な電源装置６が取り付けられる。このため、制御盤の電源周りの標準化が促進される。
【００２０】
実施の形態２．
図３はこの発明の実施の形態２における製造方法によって製造された制御盤の構成を示す図である。なお、実施の形態１と同一又は相当部分には同一符号を付して説明を省略する。また、図３においては、前扉３が省略されている。
【００２１】
実施の形態２においては、ＤＩＮレール１０に固定されたＩＯカード１１が実施の形態１よりも少ない。しかし、取付板１の取付面上方には、制御ユニット１３が固定されている。この制御ユニット１３は、ＩＯカード１４を収納している。これにより、制御盤は、ＣＰＵ盤を構成する。上記構成の制御盤においては、制御ユニット１３は、取付板１の取付面を上向きにした状態で、電源パネル４、機器パネル５とともに、取付板１の取付面に固定される。
【００２２】
以上で説明した実施の形態２によれば、ＣＰＵ盤の製造作業を効率的に行うことができ、短期間で且つ安価にＣＰＵ盤を製造することができる。
【００２３】
実施の形態３．
図４はこの発明の実施の形態３における製造方法によって製造された制御盤の構成を示す図である。なお、実施の形態１と同一又は相当部分には同一符号を付して説明を省略する。また、図４においては、前扉３が省略されている。
【００２４】
実施の形態１においては、制御盤は、ＩＯ盤であった。一方、実施の形態３において、制御盤は、中継端子台盤である。即ち、ＤＩＮレール１０に固定される機器は、全て端子台１５である。
【００２５】
以上で説明した実施の形態３によれば、中継端子台盤の製造作業を効率的に行うことができ、短期間で且つ安価に中継端子台盤を製造することができる。
【００２６】
実施の形態４．
図５はこの発明の実施の形態４における製造方法によって製造された制御盤の構成を示す図である。なお、実施の形態１と同一又は相当部分には同一符号を付して説明を省略する。
【００２７】
実施の形態１の制御盤は、片面のＩＯ盤であった。一方、実施の形態４の制御盤は、両面のＩＯ盤である。即ち、一側の取付面の反対側に、同様の制御盤の内側面を形成する取付面が設けられている。従って、制御盤の外形は、取付板１、第１カバー１６、第１前扉（図示せず）、第２カバー１７、第２前扉（図示せず）からなる。
【００２８】
上記構成の制御盤の製造においては、まず、実施の形態１で説明した手順と同様に、一側の取付面が上向きになるように、取付板１が水平な場所に横向きに配置される。そして、上向きになっている一側の取付面に、第１電源装置１８、第１電気部品１９、第１端子台２０が固定された第１電源パネル２１と、第１ケーブルサポート２２、第１ＤＩＮレール２３、第１ＩＯカード２４等、第１電源装置１８とは異なる第１機器類が固定された第１機器パネル２５とが固定される。その後、第１電源装置１８と第１ＩＯカード２４とが第１ケーブルサポート２２を介して第１電源ケーブル２６で結線される。
【００２９】
一側の取付面の作業が終了した後、他側の取付面が上向きになるように、取付板１が反転され、水平な場所に横向きに配置される。そして、上向きになっている他側の取付面に、第２電源装置、第２電気部品、第２端子台が取り付けられた第２電源パネル（図示せず）と、第２ケーブルサポート、第２ＤＩＮレール、第２ＩＯカード等、第２電源装置とは異なる第２機器類が固定された第２機器パネル（図示せず）とが固定される。その後、第２電源装置と第２ＩＯカードとが第２ケーブルサポートを介して第２電源ケーブル（図示せず）で結線される。
【００３０】
上記一側及び他側の取付面への各作業が終了した後、取付板１が起立される。その後、起立した取付板１の一側の取付面側に第１カバー１６が固定されるとともに、他側の取付面側に第２カバー１７が固定される。最後に、第１カバー１６に第１前扉が固定されるとともに、第２カバー１７に第２扉が固定され、両面メンテナンスの制御盤が完成する。
【００３１】
以上で説明した実施の形態４によれば、両面メンテナンスの盤構成であっても、制御盤の製造作業を効率的に行うことができ、短期間で且つ安価に制御盤を製造することができる。
【符号の説明】
【００３２】
１  取付板、  ２  カバー、  ２ａ  上カバー、  ２ｂ  下カバー、  ３  前扉、
４  電源パネル、  ５  機器パネル、  ６  電源装置、  ７  電気部品、
８  端子台、  ９  ケーブルサポート、  １０  ＤＩＮレール、  １１  ＩＯカード、
１２  電源ケーブル、  １３  制御ユニット、  １４  ＩＯカード、  １５  端子台、
１６  第１カバー、  １７  第２カバー、  １８  第１電源装置、  
１９  第１電気部品、  ２０  第１端子台、  ２１  第１電源パネル、
２２  第１ケーブルサポート、  ２３  第１ＤＩＮレール、  ２４  第１ＩＯカード
２５  第１機器パネル、  ２６  第１電源ケーブル
【図１】
0005476875.tif 000002
【図２】
0005476875.tif 000003
【図３】
0005476875.tif 000004
【図４】
0005476875.tif 000005
【図５】
0005476875.tif 000006